(57)【特許請求の範囲】
【請求項１】
下面に分割刻印部が形成された円柱部を有する内印鑑と、
内印鑑の円柱部が合体される中空部が形成されると共に、合体時に内印鑑下面と同位置に位置する外筒印鑑下面に分割刻印部が形成された外筒印鑑とを合体させて使用する合体型印鑑において、
内印鑑の円柱部の外周面に略円柱形の位置決め突起を立設し、
外筒印鑑の中空部内周面に位置決め突起に対応するガイド溝を相対するガイド溝構成辺により形成し、ガイド溝構成辺の一方を不動辺とし、相対する辺を不動辺側に向かって位置決め突起に対し弾性押圧力を付与する板バネ辺とすると共に、ガイド溝の末端を位置決め端部とすることを特徴とする合体型印鑑。
【請求項２】
上記ガイド溝を、外筒印鑑の中空部に固着される別体の位置決めリングに切欠部を設けて、相対するガイド溝構成辺により形成し、ガイド溝構成辺の一方を不動辺とし、相対する辺を不動辺側に向かって位置決め突起に対し弾性押圧力を付与する板バネ辺とすると共に、ガイド溝の末端を位置決め端部とすることを特徴とする請求項１記載の合体型印鑑。
【請求項３】
ガイド溝の位置決め端部の溝幅を位置決め突起と同径とすると共に、その直前位置のガイド溝の溝幅が位置決め突起の径より小さくなるよう板バネ辺に対抗する不動辺に向かう凸部を形成したことを特徴とする請求項１または２記載の合体型印鑑。
【発明の詳細な説明】
【技術分野】
【０００１】
本発明は、刻印部が内印鑑と外筒印鑑とに分割され、該分割された内印鑑と外筒印鑑とを合体してはじめて１個の印鑑として機能する合体型印鑑に関するものである。
【背景技術】
【０００２】
合体型印鑑は、勘合符のように合体型になっているので、例えば、マンションの管理組合や厚生年金基金事務所等、責任者が２名以上いる団体や、大勢の方から巨額の資産を預かる事務所において使用することを目的とする印鑑である。このような組織においては、責任者が完全合意しなければ捺印できない印鑑が求められていた。
【０００３】
そこで、特許文献１及び２に示される発明や考案が開示された。しかし、いずれの発明や考案も、印鑑を縦あるいは横に分割するものである。即ち、文字そのものが縦横に分割されてしまっている。このため、合体して使用した場合、正確な位置決めが難しく、文字の間にずれが生じるという問題があった。これらは実用に適するものではなく、かつ、正確な位置合わせを求めると複雑で、コストのかかるものとなってしまう問題点を有していた。
【先行技術文献】
【特許文献】
【０００４】
【特許文献１】特開２００４−２４３６９８号公開特許公報
【特許文献２】平１−１２２９６７号公開実用新案公報
【発明の概要】
【発明が解決しようとする課題】
【０００５】
本発明は、次の課題を解決しようとするものである。
第１に、内印鑑と外筒印鑑との合体及び分割を容易にする。
第２に、使用に際しては内印鑑と外筒印鑑とが合体しなければ１個の印鑑として機能せず、内印鑑と外筒印鑑とを分割保有することで、悪用から印鑑を守る。
第３に、内印鑑と外筒印鑑の合体の際の位置決めが正確で、容易なものとする。その結果、合体型印鑑であっても印影の美しい印鑑となる。
【課題を解決するための手段】
【０００６】
上記課題を解決するため、第１の発明は、合体型印鑑に次の手段を採用する。
第１に、下面に分割刻印部が形成された円柱部を有する内印鑑と、内印鑑の円柱部が合体される中空部が形成されると共に、合体時に内印鑑下面と同位置に位置する外筒印鑑下面に分割刻印部が形成された外筒印鑑とを合体させて使用する合体型印鑑である。
第２に、内印鑑の円柱部の外周面に略円柱形の位置決め突起を立設する。
第３に、外筒印鑑の中空部内周面に位置決め突起に対応するガイド溝を相対するガイド溝構成辺により形成し、ガイド溝構成辺の一方を不動辺とし、相対する辺を不動辺側に向かって位置決め突起に対し弾性押圧力を付与する板バネ辺とすると共に、ガイド溝の末端を位置決め端部とする。
【０００７】
第２の発明は、第１の発明における、ガイド溝を、外筒印鑑の中空部に固着される別体の位置決めリングに切欠部を設けて、相対するガイド溝構成辺により形成し、ガイド溝構成辺の一方を不動辺とし、相対する辺を不動辺側に向かって位置決め突起に対し弾性押圧力を付与する板バネ辺とすると共に、ガイド溝の末端を位置決め端部とするものとした合体型印鑑である。
【０００８】
第３の発明は、第１または第２の発明における、ガイド溝の位置決め端部の溝幅を位置決め突起と同径とすると共に、その直前位置のガイド溝の溝幅が位置決め突起の径より小さくなるよう板バネ辺に対抗する不動辺に向かう凸部を形成したことを付加した合体型印鑑である。
【発明の効果】
【０００９】
本発明は、第１に、使用に際しては内印鑑と外筒印鑑とが合体しなければ１個の印鑑として機能しないため、内印鑑と外筒印鑑とを分割保有することで、悪用から印鑑を守ることができるものとなった。
第２に、内印鑑の位置決め突起を外筒印鑑のガイド溝に沿って摺動させることにより内印鑑と外筒印鑑との合体及び分割ができ、これらの動作が容易となった。更に、板バネ辺により位置決め突起を弾性押圧して位置決めを行うので、内印鑑と外筒印鑑の合体の際の位置決めを正確なものとすることができた。その結果、合体型印鑑であっても印影の美しい印鑑を提供することができた。
【００１０】
第２の発明の効果ではあるが、ガイド溝を、外筒印鑑の中空部に固着される別体の位置決めリングで構成することにより、ガイド溝の製作、ひいては、合体型印鑑の製作を容易にすることができた。
【００１１】
第３の発明の効果ではあるが、ガイド溝の位置決め端部の溝幅を位置決め突起と同径とすると共に、その直前位置のガイド溝の溝幅が位置決め突起の径より小さくなるよう板バネ辺に不動辺に向かう凸部を形成し、位置決め突起が位置決め端部に収まった上、凸部により確実に押し込まれて、正確な位置決めができるものとなった。
【図面の簡単な説明】
【００１２】
【図１】合体型印鑑の一実施例を示す分解斜視図
【図２】合体型印鑑の分割刻印部を示す図で、（Ａ）は合体状態の合体刻印部を示し、（Ｂ）は内印鑑下面の内刻印部を示し、（Ｃ）は外筒印鑑下面の外周刻印部を示す。
【図３】内印鑑の説明図で、（Ａ）は正面図であり、（Ｂ）は印鑑下面を示す図であり、（Ｃ）はＡ−Ａ線断面図である。
【図４】外筒印鑑の説明図で、（Ａ）は正面図であり、（Ｂ）は印鑑下面を示す図であり、（Ｃ）はＡ−Ａ線断面図である。
【図５】位置決めリングの説明図で、（Ａ）は正面図であり、（Ｂ）は印鑑上側を示す図であり、（Ｃ）はＡ−Ａ線断面図であり、（Ｄ）はＢ−Ｂ線断面図であり、（Ｅ）は斜視図である。
【図６】位置決めリングと外筒印鑑との関係を示す図であり、（Ａ）はガイド溝が表れる側を示す断面図であり、（Ｂ）はその反対側を示す説明図である。
【図７】位置決めリングと内印鑑の合体状態を示す斜視説明図である。
【図８】位置決めリングと位置決め突起の関係を示す説明図
【発明を実施するための形態】
【００１３】
以下、図面に従って、実施例と共に本発明を実施するための形態について説明する。図１は本発明に係る合体型印鑑の一実施例を示す分解斜視図である。図中符号１は合体型印鑑であり、合体型印鑑１は内印鑑２と外筒印鑑３と位置決めリング４とよりなる。実施例における合体型印鑑１は、丸寸胴の印鑑形状をしているが、丸天丸の形状等であっても良い。尚、内印鑑２及び外筒印鑑３及び位置決めリング４の素材は同一素材であり、実施例ではチタンを用いている。チタンは位置決め精度を上げるのに適している。尚、素材は硬質のものであればよい。
【００１４】
内印鑑２は、図３（Ａ）（Ｂ）（Ｃ）に示されるように、取っ手部２１と円柱部２２とを有する。円柱部２２の下面２４即ち刻印部が形成される面は、内刻印部２５とされている。内刻印部２５には、刻印の一部、実施例では、図２（Ｂ）に示されるように、代表者の印である旨が刻印されている。取っ手部２１は、円柱部２２より太く形成されている。円柱部２２の外径Ｌ１（図３（Ｂ））は、外筒印鑑３の肉厚部３１の内径Ｌ２（図４（Ｃ））と同一である（Ｌ１＝Ｌ２）。尚、円柱部２２の外周面には、略円柱形の位置決め突起２３が立設されている。位置決め突起２３もチタンで作成されている。
【００１５】
外筒印鑑３は、内部が中空部３３とされた筒体である。外筒印鑑３の内部は、手前側（図４（Ｃ）では上方側）が肉薄の位置決めリング４の装着部３２とされ、下面側は肉厚部３１とされている。外筒印鑑３は、下面３４（肉厚部３１の下端面でもある）に図２（Ｃ）に示されるように分割刻印部である外周刻印部３５が形成される。図２（Ｃ）では、会社名が刻印されている。
【００１６】
外筒印鑑３の高さＬ６（図４（Ａ））は、内印鑑２の長さＬ７（図３（Ａ））と同一である（Ｌ６＝Ｌ７）。従って、中空部３３に内印鑑２の円柱部２２が合体した場合に、内印鑑２の下面２４と外筒印鑑３の下面３４が同位置に位置し、図２（Ａ）に示されるように、内刻印部２５と外周刻印部３５とが合体して、合体刻印部１５を形成する。
【００１７】
内印鑑２と外筒印鑑３との合体は、内印鑑２の円柱部２２の外周面に立設された位置決め突起２３と、外筒印鑑３の中空部３３に装着された位置決めリング４のガイド溝４１により行われる。
【００１８】
位置決めリング４は、図６（Ａ）、（Ｂ）に表れるように、外径が外筒印鑑３の装着部３２の内径Ｌ３と等しく、内径が外筒印鑑３の肉厚部３１の内径Ｌ２と等しく、高さが外筒印鑑３の装着部３２の高さに等しいリング状のものであり、同図に示されるように外筒印鑑３の装着部３２に固着されている。この結果、内印鑑２の円柱部２２の外径Ｌ１と位置決めリング４の内径とは等しくなっている。
【００１９】
位置決めリング４には、上方側（刻印部と反対方向上部）の一部を切欠して、位置決め突起２３が摺動でき、奥の端部が位置決め突起２３の位置決め端部４４となるガイド溝４１が形成されている。位置決め端部４４は、ガイド溝４１の端部で不動辺４２側に、位置決め突起２３の形状や大きさに対応して形成される。実際には、位置決め端部４４の溝幅を位置決め突起２３と同径とし、位置決め端部４４の溝の長さを少なくとも位置決め突起２３の径の半分以上の長さとして形成される。
【００２０】
ガイド溝４１は、切欠により生じた相対する２辺で構成される。一辺は、摺動する位置決め突起２３により押圧されても位置の変動のない不動辺４２とされ、他方、不動辺４２と相対する辺を板バネ辺４３とし、位置決め突起２３に対して不動辺４２及び位置決め端部４４に向かって弾性押圧可能としている。板バネ辺４３は、位置決め端部４４の直前位置のガイド溝４１の溝幅が位置決め突起２３の径より小さくなるよう板バネ辺４３に不動辺４２に向かう凸部４５を形成している。
【００２１】
位置決めリング４の切欠部には、ガイド溝４１へ至る挿入口４６及び挿入口４６へ位置決め突起２３を誘導する誘導段部４８が形成されている。誘導段部４８は、位置決めリング４の上端部を挿入口４６に向かって切欠して形成されている。尚、図中４７は板バネ辺４３の弾性力を調整するための板厚調整溝部である。板厚調整溝部４７と同様に誘導段部４８の深さや長さの変更は、板バネ辺４３の弾性力の調整に用いられる。
【００２２】
以下、合体型印鑑１の利用方法について説明する。合体型印鑑１は、分割された状態で、好ましくは異なる責任者により別個に保管される。捺印に関し、完全なる合意がなされると内印鑑２と外筒印鑑３が図１に示されるように準備され、内印鑑２の円柱部２２が、外筒印鑑３の位置決めリング４装着側の中空部３３から挿入される。具体的には位置決めリング４に円柱部２２が挿入される。
【００２３】
このとき内印鑑２の円柱部２２の外径と位置決めリング４の内径は同じであるため、円柱部２２を挿入すると、位置決めリング４の端部に円柱部２２に立設されている位置決め突起２３が衝突してしまう。衝突は、誘導段部４８の場合と、それ以外の位置決めリング４の端部の場合がある。いずれの場合も、内印鑑２を押しながらθ方向にひねって回転させる。
【００２４】
位置決め突起２３は、位置決めリング４の端部より誘導段部４８へ、誘導段部４８より挿入口４６へ誘導される。挿入口４６で押し込み方向の力を受けると位置決め突起２３は、図８に示すようにガイド溝４１に押し込まれ、ガイド溝４１に入った位置決め突起２３は、反対方向への回転力を受けることによりガイド溝４１内を、板バネ辺４３及びそこに形成された凸部４５と当接し、板バネ辺４３の弾性押圧力を受けながら位置決め端部４４へと移動する。
【００２５】
位置決め突起２３が、板バネ辺４３の凸部４５を乗り越え、位置決め端部４４に収まった状態では、凸部４５が位置決め突起２３に図８中斜め上方に向かった押圧力を与え、位置決め端部４４に押しつけるように保持する。このため位置決め端部４４で位置決めされた内印鑑２と外筒印鑑３はずれることなく固定される。
【００２６】
この際、内印鑑２の下面には図２（Ｂ）の内刻印部２５が刻印されており、外筒印鑑３の下面には図２（Ｃ）の外周刻印部３５が刻印されているため、合体の結果、図２（Ａ）に示す合体刻印部１５となり正規の印鑑として使用できるのである。
【符号の説明】
【００２７】
１・・・・・合体型印鑑
２・・・・・内印鑑
３・・・・・外筒印鑑
４・・・・・位置決めリング
１５・・・・合体刻印部
２１・・・・取っ手部
２２・・・・円柱部
２３・・・・位置決め突起
２４、３４・下面
２５・・・・内刻印部
３１・・・・肉厚部
３２・・・・装着部
３３・・・・中空部
３５・・・・外周刻印部
４１・・・・ガイド溝
４２・・・・不動辺
４３・・・・板バネ辺
４４・・・・位置決め端部
４５・・・・凸部  
４６・・・・挿入口
４７・・・・板厚調整溝部
４８・・・・誘導段部
【図１】
0005126722.tif 000002
【図２】
0005126722.tif 000003
【図３】
0005126722.tif 000004
【図４】
0005126722.tif 000005
【図５】
0005126722.tif 000006
【図６】
0005126722.tif 000007
【図７】
0005126722.tif 000008
【図８】
0005126722.tif 000009